(57)【要約】【課題】スクラッチ操作の再生位置を探す操作をアナログレコードプレーヤでの操作と同じく容易に操作ができる光ディスク再生装置を得ることを提供する。【解決手段】操作円盤部２８は、図示しない円盤部に摩擦係数の小さいシート部材を介して載置されている。円盤部が回転駆動されているから、操作円盤部２８は連れ回りされる。操作円盤部２８の周縁にスリット部３３が設けられ、光センサ３１ａ，３１ｂで検出され、操作円盤部２８の回転速度と回転方向が検出される。操作円盤部２８の表面にマーク３４が設けられ、回転位置を認識できる。スクラッチ操作の開始位置を探す操作が容易であり、操作円盤部２８の回転状態も目で認識できる。【選択図】  図３
2004273015.tif 000002
【特許請求の範囲】
【請求項１】
光ディスクに記録されたデータを再生する再生部と、該再生部が再生したデータを記憶する記憶部と、該記憶部に記憶されたデータの読み出し速度および読み出し順序を指示する読出指示部を備えた光ディスク再生装置において、
前記読出指示部は、操作円盤部と、該操作円盤部を載置する円盤部と、該円盤部を回転駆動する駆動部と、前記操作円盤部の回転速度および回転方向を検出して制御信号を発生する検出部と、前記制御信号により前記記憶部に記憶したデータの読み出し速度および読み出し順序を制御する制御部を備え、
前記操作円盤部または前記操作円盤部に固定されて該操作円盤部と一緒に回転する部材に、回転位置を示すマークが設けられたことを特徴とする光ディスク再生装置。
【請求項２】
前記円盤部の回転速度および回転方向を検出して制御信号を発生する検出部と、該検出部が発生した制御信号により前記制御部が前記駆動部を制御することを特徴とする請求項１に記載の光ディスク再生装置。
【発明の詳細な説明】
【０００１】
【発明の属する技術分野】
本発明は、光ディスクから再生したオーディオデータの再生速度および再生順序を変化させることができる操作ダイヤルを備えた光ディスク再生装置に関するものである。
【０００２】
【従来の技術】
オーディオ再生装置を操作してオーディオデータを再生するＤＪ（Ｄｉｓｃ  Ｊｏｃｋｅｙ）は、アナログレコードまたはＣＤ（Ｃｏｍｐａｃｔ  Ｄｉｓｃ）等の光ディスクに記録されたオーディオデータを再生している最中に、擦れ音のような効果音を発生させるスクラッチ再生と呼ばれる特殊再生を行なうことがある。ＤＪは、アナログレコードプレーヤを用いてスクラッチ再生を行なう場合、アナログレコードを素早く正方向又は逆方向に回すことにより擦れ音を発生させる。また、このアナログレコードプレーヤによるスクラッチ再生と同様の特殊再生を行なうことが可能なＤＪ用のＣＤプレーヤが特許文献１に記載されている。
【０００３】
このＤＪ用のＣＤプレーヤは、ジョグダイヤルとメモリを備えており、ＣＤから再生したオーディオデータをメモリに記憶し、ジョグダイヤルを正方向又は逆方向に回すことにより、メモリに記憶されたオーディオデータの読み出し速度と読み出し順序を制御し、アナログレコードプレーヤによる擦れ音と同等の効果音を発生させる。このように、ＤＪは、ＣＤに記録されたオーディオデータを再生しているとき、ジョグダイヤルをアナログレコードと同じように回転操作することにより、アナログレコードプレーヤと同様のスクラッチ再生等の特殊再生を行なうことができる。
【０００４】
上記のようなＤＪ用のＣＤプレーヤでは、ジョグダイヤルが操作されない場合、ＣＤに記録されたオーディオデータを標準速度で再生（以下、「通常再生」という。）する。ジョグダイヤルが回転操作された場合、ＣＤプレーヤは、ジョグダイヤルの回転速度および回転方向を検出し、検出した回転速度および回転方向に応じて、ＣＤから再生しメモリに記憶したオーディオデータの読み出し速度および読み出し順序を変える特殊再生を行なう。
【０００５】
【特許文献１】
特開２００２―３１２８５７号公報
【０００６】
【発明が解決しようとする課題】
アナログレコードプレーヤを用いて、ＤＪが通常再生を行ない直前に再生した楽音と同じ楽音を使用してスクラッチ操作を行なう時、ＤＪはアナログレコードを手で逆回転し再生位置を戻す操作を実施する。アナログレコードプレーヤを使用する場合は、通常再生中にスクラッチ操作開始位置を決め、その位置から通常再生終了位置までアナログレコードが何回回転したか数えて、通常再生終了位置からその回転数だけアナログレコードだけを手で逆回転させてスクラッチ操作の開始位置を探す。このときＤＪは、スクラッチ操作の開始位置をサーチ再生音を耳で聴き、かつアナログレコードの操作（逆回転）を手と目で確認する。
【０００７】
また、従来の光ディスク再生装置の場合は通常再生中にスクラッチ操作を行なう開始位置の時間を表示部で確認し、通常再生終了後、表示部の時間表示を確認しながらジョグダイヤルを手で逆回転させ、スクラッチ操作の開始位置を探す。このときＤＪは、スクラッチ操作の開始位置を探すサーチ再生音を耳で、表示部の時間表示を目で、ジョグダイヤルの操作を手で確認する。
【０００８】
このように、従来の光ディスク再生装置の場合、ＤＪが再生位置を戻す操作を行なう時、確認箇所がアナログレコードプレーヤの場合より多く（表示部の確認）、特に手の操作と目での確認箇所が別のため、操作がしづらい問題があった。
【０００９】
また、アナログレコードには、アーティスト名、タイトル名などが記載されているラベル等が貼付されているため、ＤＪは、アナログレコードが回転していることを視認することができ、スクラッチ操作終了後からのアナログレコードの回転数を把握することができる。しかしながら、従来のＤＪ用のＣＤプレーヤでは、ジョグダイヤルはＤＪが回転を与えなければ回転することがなかったため、ジョグダイヤルの回転状態を示す目印を設ける必要はなかった。
【００１０】
本出願人が先に提案した特願２００２−１５３５１４号に記載の発明のように、ジョグダイヤル（操作円盤）が通常再生中に回転しているものでは、ジョグダイヤルの回転状態をＤＪが視認しにくく、通常再生中において、スクラッチ操作開始位置から通常再生終了位置までのジョグダイヤルの回転数を把握することが困難であった。
【００１１】
本発明は、特願２００２−１５３５１４号に記載の発明である光ディスク再生装置を改良し、ＣＤ等の光ディスクの特殊再生をする場合、アナログレコードプレーヤで特殊再生を行なう場合と同様の操作により特殊再生を行なうことができとともに、操作円盤の回転状態の視認が容易で、スクラッチ操作の開始位置を探す操作も容易な光ディスク再生装置を提供することを目的とするものである。
【００１２】
【課題を解決するための手段】
請求項１に記載の発明は、光ディスクに記録されたデータを再生する再生部と、該再生部が再生したデータを記憶する記憶部と、該記憶部に記憶されたデータの読み出し速度および読み出し順序を指示する読出指示部を備えた光ディスク再生装置において、前記読出指示部は、操作円盤部と、該操作円盤部を載置する円盤部と、該円盤部を回転駆動する駆動部と、前記操作円盤部の回転速度および回転方向を検出して制御信号を発生する検出部と、前記制御信号により前記記憶部に記憶したデータの読み出し速度および読み出し順序を制御する制御部を備え、前記操作円盤部または前記操作円盤部に固定されて該操作円盤部と一緒に回転する部材に、回転位置を示すマークが設けられたことを特徴とするものである。
【００１３】
請求項２に記載の発明は、請求項１に記載の光ディスク再生装置において、前記円盤部の回転速度および回転方向を検出して制御信号を発生する検出部と、該検出部が発生した制御信号により前記制御部が前記駆動部を制御することを特徴とするものである。
【００１４】
【発明の実施の形態】
図１は、本発明の光ディスク再生装置の実施の形態の一例を示すブロック図である。図中、１はターンテーブル、２はスピンドルモータ、３はサーボ制御部、４は光ピックアップ、５は再生アンプ、６は信号処理部、７はメモリ制御部、８はＲＡＭ（Ｒａｎｄｏｍ  Ａｃｃｅｓｓ  Ｍｅｍｏｒｙ）、９はＤＡＣ（Ｄｉｇｉｔａｌ  ｔｏ  Ａｎａｌｏｇ  Ｃｏｎｖｅｒｔｅｒ）、１０はアンプ、１１は出力端子、１２は制御部、１３は表示部、１４は操作部である。この光ディスク再生装置は、操作部１４に読出指示部としてのジョグダイヤル部を備え、ジョグダイヤル部の回転速度および回転方向に応じて、ＣＤから再生しＲＡＭ８に記憶されたデジタルオーディオデータの読み出し速度及び読み出し順序を変えることができるＤＪ用のＣＤプレーヤである。
【００１５】
スピンドルモータ２に固定されたターンテーブル１は、ＣＤを固定する。操作部１４から再生開始の指示が入力されると、サーボ制御部３は、スピンドルモータ２を所定の線速度で回転駆動させる制御をする。また、サーボ制御部３は、光ピックアップ４からのレーザ光をＣＤのピット列を正しくトレースするために、図示しないフォーカスサーボ回路とトラッキングサーボ回路を制御する。
【００１６】
光ピックアップ４が再生したデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。
【００１７】
メモリ制御部７は、入力されたデジタルオーディオデータをＲＡＭ８に入力するよう制御する。ＲＡＭ８は、入力されたデジタルオーディオデータを記憶する。ＲＡＭ８が記憶したデジタルオーディオデータは、メモリ制御部７の制御により読み出されＤＡＣ９に入力される。
【００１８】
ＤＡＣ９は、デジタルオーディオデータをアナログオーディオ信号に変換しアンプ１０に入力する。ＤＡＣ９から入力されたアナログオーディオ信号は、アンプ１０により増幅され出力端子１１に接続したスピーカ等から出力される。
【００１９】
表示部１３は、現在再生しているトラックの再生時間、トラックナンバー等を表示する。操作部１４は、ジョグダイヤル部、再生ボタン、再生停止ボタン、イジェクトボタン等を備えている。
【００２０】
図２，図３は、本発明の光ディスク再生装置の操作部に備えられたジョグダイヤル部の第１の実施の形態を説明するためのもので、図２は側断面図、図３（Ａ）は上面図、図３（Ｂ）は図３（Ａ）の点線円内の部分拡大図である。図中、２１はモータ、２２は回転軸、２３は固定保持部、２４は保持部、２５は円盤部、２６はスリット部、２７はシート部材、２８は操作円盤部、２９はストヅパー部、３０はパネル、３１は第１光センサ部、３１ａ，３１ｂは光センサ、３２は第２光センサ部、３３はスリット部、３４はマークである。
【００２１】
第１の実施の形態のジョグダイヤル部の構成について説明する。ジョグダイヤル部は、光ディスク再生装置におけるＣＤプレーヤのパネル３０の上面に備えられている。パネル３０の下面に固定されたモータ２１の回転軸２２には、固定保持部２３が固定されている。保持部２４は、固定保持部２３の上面に載置されている。この保持部２４は、摩擦係数の大きい部材であり、例えば、ゴム等の弾性体である。円盤部２５は、保持部２４の上面に載置されている。この円盤部２５の裏面には、スリット部２６が設けられている。スリット部２６は、例えば、円盤部２５と同材質であり、等間隔に長方形状の開口部を設けたリング状の板である。シート部材２７は、円盤部２５の上面に載置されている。このシート部材２７は、摩擦係数が小さく、静電気が発生しにくい樹脂材料等からなる。操作円盤部２８は、シート部材２７の上面に載置されている。この操作円盤部２８の外周部には、等間隔に長方形状の開口部を備えたスリット部３３が設けられている。ストッパー部２９は、保持部２４、円盤部２５、シート部材２７および操作円盤部２８が回転軸２２から外れないように回転軸２２に固定されている。しかし、操作円盤部２８は、ストッパー部２９に対して、回転可能であり、操作円盤部２８の上面とストッパー部２９の下面との間には、隙間をおいたり、シート部材２７と同様の材料を挟んだり、クッション材を挿入したりするのがよい。
【００２２】
第１光センサ部３１は、操作円盤部２８の回転方向を検出するために２つの光センサから構成され、スリット部３３の開口部を検出できるようにパネル３０に固定されている。同様に、第２光センサ部３２も、２つの光センサから構成され、スリット部２６の開口部を検出できるようにパネル３０に固定されている。
【００２３】
第１光センサ部３１は、操作円盤部２８のスリット部３３の開口部を検出し、操作円盤部２８の回転状態（回転角度および回転方向）に応じた第１パルス信号を発生し、制御部１２に入力する。また、第２光センサ部３２は、円盤部２５のスリット部２６の開口部を検出し、円盤部２５の回転状態に応じた第２パルス信号を発生し制御部１２に入力する。
【００２４】
制御部１２は、第１光センサ部３１から入力された第１パルス信号に応じて、ＲＡＭ８に記憶されたデジタルオーディオデータの読み出す速度および方向を判別し、メモリ制御部７を制御する。また、制御部１２は、第２光センサ部３２から入力される第２パルス信号から、円盤部２５の回転速度を予め定められた速度に保つようにモータ２１を制御する。
【００２５】
この実施の形態のＣＤプレーヤは、ＣＤに記録されたオーディオデータを再生する場合、モータ２１は、予め定められた速度（例えば、アナログレコードプレーヤの再生時におけるターンテーブルの角速度）で回転する。モータ２１が予め定められた速度で回転しているとき、保持部２４、円盤部２５、シート部材２７および操作円盤部２８は、同じ速度で回転する。モータ２１の回転方向は、アナログレコードプレーヤのターンテーブルの回転方向（右回り）と同じ方向である。このため、このＣＤプレーヤでは、アナログレコードを用いて特殊再生を行なう操作と同様の操作をすることができる。
【００２６】
先ず、予め定められた速度で回転している操作円盤部２８を停止する場合における、ＣＤプレーヤの再生動作について説明する。
【００２７】
ＤＪは、予め定められた速度で回転している操作円盤部２８に手を乗せ、回転速度を徐々に遅くする。このとき、円盤部２５は、シート部材２７の摩擦係数が小さいため、操作円盤部２８の回転速度に影響されることなく、予め定められた回転速度で回転する。操作円盤部２８の回転速度が変化すると、第１光センサ部３１から一定時間に発生する第１パルス信号のパルス数は、操作円盤部２８の回転速度に応じて変化する。制御部１２は、第１光センサ部３１から一定時間に入力された第１パルス信号のパルス数から操作円盤部２８の回転速度を判別する。制御部１２は、判別した回転速度に応じて、メモリ制御部７を制御する。メモリ制御部７は、ＲＡＭ８から読み出すデジタルオーディオデータの速度を遅くする制御をする。
【００２８】
操作円盤部２８の回転が停止したとき、第１光センサ部３１は、制御部１２に第１パルス信号は入力されない。制御部１２は、第１光センサ部３１から第１パルス信号の入力がない場合、メモリ制御部７にＲＡＭ８からデジタルオーディオデータの読み出しを停止する制御をする。
【００２９】
ＤＪが操作円盤部２８から手を離し操作が終了すると、操作円盤部２８は、円盤部２５が予め定められた速度で回転しているので、直ちに、予め定められた速度で回転を再開する。操作円盤部２８が予め定められた速度で回転を再開すると、制御部１２は、メモリ制御部７に通常再生時の読み出し速度でＲＡＭ８からデジタルオーディオデータを読み出す制御をする。
【００３０】
また、ＤＪは、予め定められた速度で回転している操作円盤部２８を手で予め定められた速度より速く回転させて回転速度を徐々に速くする場合、制御部１２は、第１光センサ部３１から一定時間に入力された第１パルス信号のパルス数に応じて、メモリ制御部７にＲＡＭ８から読み出すデジタルオーディオデータの速度を速くする制御をする。
【００３１】
次に、操作円盤部２８を定められた速度で回転している方向と逆方向に回転させる場合における、本発明の実施の形態の一例であるＣＤプレーヤの再生動作について説明する。
【００３２】
ＤＪは、手で予め定められた速度で回転している操作円盤部２８を逆方向（左回り）に回転させる。このとき、円盤部２５は、シート部材２７の摩擦係数が小さいため、操作円盤部２８の回転速度および方向に影響されることなく、予め定められた速度で回転させることができる。第１光センサ部３１は、２つの光センサを備えており、操作円盤部２８の回転方向が変化すると、この２つの光センサから発生するパルス信号の位相差は、操作円盤部２８の回転方向に応じて変化する。制御部１２は、この２つの光センサから入力された第１パルス信号の位相差から操作円盤２８の回転方向を判別する。また、上述したように、制御部１２は、第１光センサ部３１から一定時間に入力された第１パルス信号のパルス数から操作円盤２８の回転速度を判別する。制御部１２は、判別した回転速度および回転方向に応じて、メモリ制御部７を制御する。メモリ制御部７は、ＲＡＭ８から読み出すデジタルオーディオデータの速度および順序を制御する。
【００３３】
操作円盤部２８の回転方向の判別について説明する。図３に示すように、操作円盤部２８のスリット部３３を検出する第１センサ部３１の一方の光センサ３１ａは、他方の光センサ３１ｂに対して、１／４ピッチ（ｎピッチ＋１／４ピッチでよい。）だけ正方向に進んだ位置にずれるようにセットされている。したがって、操作円盤部２８が正方向に回転したときには、図４（Ａ）に示すように、光センサ３１ａの出力信号は、光センサ３１ｂの出力信号に対して、＋９０゜の位相差となる。また、操作円盤部２８が逆方向に回転したときには、図４（Ｂ）に示すように、光センサ３１ａの出力信号は、光センサ３１ｂの出力信号に対して、−９０゜の位相差となるので、光センサ３１ａ，３１ｂの位相差を検出することによって、操作円盤部２８の回転方向を検出できる。スリット部２６と第２光センサ部３３についても同様の構成であり、回転方向の検出ができる。なお、回転速度は、所定時間に出力されるパルス数にしたがって算出されることは上述したとおりである。
【００３４】
しかし、必ずしも、位相差を検出する方法に限られるものではない。図４に示すように、光センサ３１ａ及び光センサ３１ｂが、スリットを検出したとき、ＯＮを示すパルス信号を出力し、スリット位置にないとき、ＯＦＦを示す信号を出力するとする。光センサ３１ａおよび光センサ３１ｂは、それぞれ出力されるパルス信号の組み合わせとして、次の４通りの出力パターンが発生する。
＃１：３１ａ−ＯＮ、３１ｂ−ＯＦＦ
＃２：３１ａ−ＯＮ、３１ｂ−ＯＮ
＃３：３１ａ−ＯＦＦ、３１ｂ−ＯＮ
＃４：３１ａ−ＯＦＦ、３１ｂ−ＯＦＦ
【００３５】
ここで、上述したように、光センサ３１ａは、他方の光センサ３１ｂに対して、（ｎピッチ＋１／４ピッチ）だけ正方向に進んだ位置にずれるようにセットされているとすると、操作円盤部２８が正方向に回転した場合は、図４（Ａ）に示すように、
＃４→＃１→＃２→＃３→＃４→＃１→・・・
の順番で上述した出力パターンが発生する。
【００３６】
一方、操作円盤部２８が逆方向に回転した場合は、図４（Ｂ）に示すように、
＃１→＃４→＃３→＃２→＃１→＃４→・・・
の順番で上述した出力パターンが発生する。制御部１２は、上記の出力パターンの発生順序の違いを検出し、回転方向を検出することができる。
【００３７】
なお、上述した説明から明らかなように、光センサ３１ａと光センサ３１ｂとの配置の位置のずれ量は、（ｎピッチ＋１／４ピッチ）に限られるものではなく、ｎピッチ、または、（ｎピッチ＋１／２ピッチ）でなければよいことが分かる。
【００３８】
図１，図２に戻って説明する。ＤＪが操作円盤部２８から手を離し操作が終了すると、操作円盤部２８は、円盤部２５が予め定められた速度で回転しているので、直ちに、予め定められた速度および回転方向の回転を再開する。操作円盤部２８が予め定められた速度および回転方向で回転を再開すると、制御部１２は、メモリ制御部７に通常再生時の読み出し速度でＲＡＭ８からデジタルオーディオデータを読み出す制御をする。
【００３９】
この実施の形態のＣＤプレーヤにおいて、操作円盤部２８を操作しているとき、予め定められた速度で回転している円盤部２５の回転速度が変化すると、制御部１２は、第２光センサ部３２から一定時間に入力された第２パルス信号のパルス数に応じて、円盤部２５の回転速度が予め定められた速度を保つようにモータ２１を制御する。
【００４０】
本実施例のＣＤプレーヤを用いて、スクラッチ再生を行なう場合、ＤＪは、手で操作円盤部２８を素早く正方向又は逆方向に回転させる操作を繰り返す。制御部１２は、第１光センサ部３１から入力される第１パルス信号から、操作円盤部２８の回転速度および回転方向を判別する。制御部１２は、判別した回転速度および回転方向に応じて、メモリ制御部７を制御する。メモリ制御部７は、ＲＡＭ８に記憶されたデジタルオーディオデータの読み出し速度および読み出し順序（オーディオデータを昇順アドレスで読み出す、または、降順で読み出す）を制御する。ＲＡＭ８から読み出されたデジタルオーディオデータは、ＤＡＣ９によりアナログオーディオ信号に変換され、アンプ１０により増幅されて出力端子１１に接続したスピーカから擦れ音のような効果音として出力される。
【００４１】
本実施例のＣＤプレーヤの操作部１４のジョグダイヤル部の円盤部２５が予め定められた回転速度で回転しており、円盤部２５上に載置された操作円盤部２８が円盤部２５とスリップすることなく、同じ回転速度で回転している状態から、操作円盤部２８を回転操作することにより、スクラッチ再生等の特殊再生を行なうことができる構造となっている。このため、操作円盤部２８の操作終了後、操作円盤部２８は、直ちに、予め定められた速度および回転方向で回転を再開することができるので、特殊再生から通常再生に瞬時に切り替えることができる。
【００４２】
また、制御部１２は、第２光センサ部３２から入力される第２パルス信号のパルス数から、円盤部２５の回転速度を予め定められた速度に保つようモータ２１を制御するので、操作円盤部２８の回転操作による円盤部２５の回転速度の変化を防ぐことができる。このため、操作円盤部２８の回転操作の終了後、操作円盤部２８は、直ちに、予め定められた速度で回転を再開することができる。
【００４３】
図３に示すように、操作円盤部２８の表面に、マーク３４が設けられている。マーク３４は、この例では、線状の指示線として設けられており、印刷または、操作円盤部２８に一体成形の凸部または凹部として形成してもよい。また、発光素子、例えば、ＬＥＤなどを埋め込んで発光マークとしたものでもよい。マーク３４の形状は、線状に限られるものではなく、操作円盤部２８の回転位置が認識できるものであればよい。異なる形状のマークを複数箇所に設けるようにしてもよい。マーク３４により、操作円盤部２８の回転位置を容易に認識できる。
【００４４】
光ディスクを通常再生しているとき、円盤部２５および操作円盤部２８は、一定の速度で回転している。通常再生中、ＤＪは、再生音を聞きながら、スクラッチ再生をする位置（例えば、時計の１２時の位置）を決定し、その位置から通常再生終了位置までの操作円盤部２８が何回転したかをマーク３４の回転を基準にカウントする。
【００４５】
その後、ＤＪがスクラッチ再生開始位置でスクラッチ操作をするために操作円盤部２８の逆回転操作を行なう。マーク３４の回転した分だけ操作円盤部２８を手で逆回転して戻し、マーク３４の位置（例えば、時計の１２時の位置に）を合わせる。このとき、再生が進んだために第１光センサ３１から出力された制御パルス数と逆回転で操作円盤部２８を戻したときに第１光センサ３１から出力された制御パルス数が一致する。例えば、マーク３４を１２時の位置に合わせることにより、スクラッチ操作を開始する位置に戻ることができる。
【００４６】
このように、アナログレコードプレーヤで操作することに慣れているＤＪであっても、本発明の光ディスク再生装置を用いれば、スクラッチ操作の開始位置を探す操作を、アナログレコードプレーヤの操作と同じ操作をできるので、操作が容易である。また、操作円盤部２８の回転速度も目で認識できるので、アナログレコードプレーヤと対比しての違和感がない。
【００４７】
図５，図６は、本発明の光ディスク再生装置の操作部に備えられたジョグダイヤル部の第２の実施の形態を説明するためのもので、図５は側断面図、図６は上面図である。図中、図１〜図３と同様の部分には同じ符号を付して説明を省略する。２１ａは回転軸、２５ａはプーリ部、２８ａは突起部、４０は軸受け、４１はネジ、４２はプーリ、４２ａはプーリ部、４３はネジ、４４はスケール保持部、４４ａは軸受け、４５はスケール、４６はネジ、４７はワッシャー、４８はＥリング、４９はネジ、５０は基板、５１はネジ、５２は回転軸、５２ａは軸受け、５３はワッシャー、５４はスケール保持部、５５はワッシャー、５６はネジ、５７はスケール、５８はネジ、５９は操作円盤保持部、５９ａは穴、６０はネジ、６１は基板、６２はネジ、６３はベルトである。
【００４８】
光ディスク再生装置のパネル３０にモータ２１がネジ４１で取り付けられている。モータ２１の回転軸２１ａにはプーリ４２がネジ４３で固定されている。パネル３０は、軸受け４０をインサート成形、すなわち一体成形（以下同じ）により形成した。
【００４９】
円盤部２５の回転状態を検出するためのスケール４５は、円盤部２５の裏面にネジ４９で固定されたスケール保持部４４に、ネジ４６で取り付けられている。スケール４５には、図７に示すスリット部３３と同様のスリット部が設けられており、第２光センサ部３２によって、回転角度と回転方向の検出が行なわれる。第２光センサ部３２は、基板５０に取り付けられ、ネジ５１でパネル３０に取り付けられている。また、スケール保持部４４は、軸受け４４ａをインサート成形により形成している。スケール保持部４４は、ワッシャー４７を介してパネル３０の軸受け４０に挿入され、Ｅリング４８で保持されている。円盤部２５の裏面の周面に、プーリ部２５ａが設けられている。
【００５０】
操作円盤部保持シャフトである回転軸５２には、軸受け５２ａがインサート成形によって形成されている。回転軸５２は、パネル３０の軸受け４０にワッシャー５３を介して挿入され、保持されている。
【００５１】
操作円盤部２８の回転状態を検出するためのスケール５７は、スケール保持部５４に、ネジ５８で取り付けてられている。スケール保持部５４はワッシャー５５を介して回転軸５２に挿入され、ネジ５６で回転軸５２に固定されている。
【００５２】
図７（Ａ）はスケール５７の上面図、図７（Ｂ）は図７（Ａ）の点線円内の部分拡大図である。スケール５７には、スリット部３３と同様のスリット部が設けられており、第１光センサ部３１の光センサ３１ａ，３１ｂによって、回転角度と回転方向の検出が行なわれることは、図３で説明した操作円盤部２８と同様である。第１光センサ部３１は、基板６１に取り付けられ、ネジ６２でパネル３０に取り付けられている。円盤部２５の上にシート部材２７、操作円盤部２８を置き、操作円盤部２８に設られている突起部２８ａは操作円盤保持部５９の穴５９ａに挿入し、操作円盤保持部５９をネジ６０で回転軸５２に取り付けることにより、シート部材２７を介して、円盤部２５上に操作円盤部２８が保持される。したがって、ＤＪの操作による操作円盤部２８の回転状態は、回転軸５２を介して、スケール保持部５４に取り付けられたスケール５７に伝達され、操作円盤部２８とスケール５７は一体的に回転する。
【００５３】
第１光センサ部３１、第２光センサ部３２から制御パルスを得るために、スケール５７、スケール４５には、スリット部（開口部）が設けられている。スケール５７、スケール４５の材質が金属のときは、スリットは細長い長方形状の開口にする。しかし、開口の形状は、長方形に限られるものではなく、適宜の形状でよい。また、スケール５７、スケール４５の材質が透明又は半透明のプラスチックなどが用いられているときは、スリット部は印刷によって形成する。スリット部の印刷塗料にカーボンを含ませると、第１光センサ部３１、第２光センサ部３２がスリット部を検出する効果が上がる。すなわち、スリット部としては、透過型、反射型のいずれでもよいといえる。
【００５４】
スケール５７の構成は、図７に示すように、周縁の近傍にスリット部３３が形成されており、第１光センサ部の光センサ３１ａ，３１ｂによって、スケール５７の回転角度に応じたパルス信号が得られるとともに、回転方向の検出ができることは、図３で説明したとおりである。スケール４５においても同じである。
【００５５】
シート部材２７は、摩擦係数が小さいプラスチックまたはプラスチック繊維が適している。その上、静電気が蓄えられない材料であるとよいことは、第１の実施の形態のジョグダイヤルで説明したところと同じであるが、さらに説明を加えておく。シート部材２７は、例えば、回転している円盤部２５の回転速度に、停止している操作円盤部２８が０．１〜０．２秒後に追従して回転できる程度の摩擦係数を有する部材がよい。また、操作円盤部２８は、モータ２１から伝わる駆動トルクに追従できるように表面積を大きくし、材質、厚みを調整することにより、載置されているシート部材２７が小さい摩擦係数であっても、操作円盤部２８から手が離れると、回転している円盤部２５と同じ回転速度で回転を開始するように、自重と慣性モーメントとを小さくなるように設計されている。
【００５６】
図５，図６に戻って説明する。モータ２１の回転軸２１ａに固定してあるプーリ４２のプーリ部４２ａと、円盤部２５のプーリ部２５ａにベルト６３が掛けてある。
【００５７】
操作円盤保持部５９にはマーク３４が設けられている。マーク３４は印刷または、操作円盤保持部５９に一体成形の凸部または凹部でもよい。このような構成で、モータ２１が回転すると、モータ２１の回転軸２１ａに取り付けてあるプーリ４２が回転し、プーリ４２が回転することで、プーリ４２のプーリ部４２ａと円盤部２５のプーリ部２５ａに掛けられているベルト６３に駆動が伝達され、円盤部２５が回転し始める。円盤部２５が回転し始めると操作円盤部２８と円盤部２５に挟まれているシート部材２７は、摩擦係数が小さい部材であるが、円盤部２５が回転すると操作円盤部２８の自重で一緒に回転する摩擦力が発生するくらいの摩擦係数を持つ部材であることによって、円盤部２５が回転に連れ回りして、シート部材２７と操作円盤部２８が回転する。また、操作円盤部２８を操作すると操作円盤保持部５９も一緒に回転するため、操作円盤部２８の回転位置をマーク３４により容易に識別できる。なお、マーク３４は、操作円盤部２８に設けてても同じ効果を得ることができる。
【００５８】
ＤＪの一般的な操作における本実施例の光ディスク再生装置における通常再生中に特殊操作を行なったり、回転位置を探すなどの操作については、第１の実施の形態のジョグダイヤルで説明したとおりであるので説明を省略する。
【００５９】
【発明の効果】
以上の説明から明らかなように、本発明によれば、操作円盤部の回転位置を認識できるマークを設けることにより、スクラッチ操作などの特殊操作ににおいて、再生開始位置のサーチや、スクラッチ操作の再生位置を探す操作を容易に行なうことができるという効果がある。
【図面の簡単な説明】
【図１】本発明の光ディスク再生装置の実施の形態の一例を示すブロック図である。
【図２】本発明の光ディスク再生装置の操作部に備えられたジョグダイヤル部の第１の実施の形態を説明するための側断面図である。
【図３】図２のジョグダイヤル部の上面図である。
【図４】回転方向の判別方法の説明図である。
【図５】本発明の光ディスク再生装置の操作部に備えられたジョグダイヤル部の第２の実施の形態を説明するための側断面図である。
【図６】図５のジョグダイヤル部の上面図である。
【図７】スケールとそのスリット部の説明図である。
【符号の説明】
１…ターンテーブル、２…スピンドルモータ、３…サーボ制御部、４…光ピックアップ、５…再生アンプ、６…信号処理部、７…メモリ制御部、８…ＲＡＭ、９…ＤＡＣ、１０…アンプ、１１…出力端子、１２…制御部、１３…表示部、１４…操作部、２１…モータ、２１ａ…回転軸、２２…回転軸、２３…固定保持部、２４…保持部、２５…円盤部、２５ａ…プーリ部、２６…スリット部、２７…シート部材、２８…操作円盤部、２８ａ…突起部、２９…ストヅパー部、３０…パネル、３１…第１光センサ部、３１ａ，３１ｂ…光センサ、３２…第２光センサ部、３３…スリット部、３４…マーク、４０…軸受け、４１…ネジ、４２…プーリ、４２ａ…プーリ部、４３…ネジ、４４…スケール保持部、４４ａ…軸受け、４５…スケール、４６…ネジ、４７…ワッシャー、４８…Ｅリング、４９…ネジ、５０…基板、５１…ネジ、５２…回転軸、５２ａ…軸受け、５３…ワッシャー、５４…スケール保持部、５５…ワッシャー、５６…ネジ、５７…スケール、５８…ネジ、５９…操作円盤保持部、５９ａ…穴、６０…ネジ、６１…基板、６２…ネジ、６３…ベルト。
【図１】
2004273015.tif 000003
【図２】
2004273015.tif 000004
【図３】
2004273015.tif 000005
【図４】
2004273015.tif 000006
【図５】
2004273015.tif 000007
【図６】
2004273015.tif 000008
【図７】
2004273015.tif 000009